(57)【要約】【課題】  目的地への向い人が車載用ナビゲーション装置を所持していなくても、その向い人に、目的地への移動スケジュールを通知する。【解決手段】  サーバ１が、集合時間、集合場所及び１以上の連絡先を含む集合情報を持った要求メール４を連絡元端末２から受信し、受信した集合情報中の各連絡先毎に、受信した集合情報中の集合時間及び集合場所と、所定の方法で取得される出発場所情報と、所定記憶システムに記憶されている地図情報及び各種交通機関情報とに基づいて、各連絡先毎に固有の移動スケジュールを作成し、各連絡先に対応した連絡先端末に、その連絡先に固有の移動スケジュールを持った集合連絡メール５を送信する。【選択図】図１
2005210453.tif 000002
【特許請求の範囲】
【請求項１】
集合時間情報、集合場所情報及び１以上の連絡先を含む集合情報を連絡元端末から受信する受信手段と、
前記受信した集合情報中の各連絡先毎に、前記受信した集合情報中の集合時間情報及び集合場所情報と、所定の方法で取得される出発場所情報と、所定記憶システムに記憶されている移動スケジュール作成支援情報とに基づいて、前記受信した集合情報に含まれているその連絡先に固有の移動スケジュールを作成する作成手段と、
前記各連絡先に対応した連絡先端末に、その連絡先に固有の移動スケジュールを通知する通知手段と
を備える移動スケジュール通知サーバ。
【請求項２】
前記出発場所情報が、前記所定記憶システムに、各連絡先毎に予め登録されている情報であり、
前記作成手段は、前記所定記憶システムから前記出発場所情報を取得する、
請求項１記載のサーバ。
【請求項３】
或る連絡先に対して複数の出発場所情報が登録されており、且つ、各出発場所情報毎に移動開始時刻範囲が設定されている場合、
前記作成手段は、設定された移動開始時刻範囲内に入る移動開始時刻となるような出発地点を持つ移動スケジュールを作成する、
請求項２記載のサーバ。
【請求項４】
前記移動スケジュール作成支援情報には、各種交通機関情報が含まれており、
前記作成手段が、前記各種交通機関情報に基づいて、どの交通機関をどのように利用するかを含んだ前記移動スケジュールを作成する、
請求項１記載のサーバ。
【請求項５】
前記作成される移動スケジュールには、前記出発場所情報が表す出発場所と、前記集合場所情報が表す集合場所とを結ぶ移動経路における１又は複数の通過地点と、各通過地点間において利用可能な交通機関と、その交通機関を利用した場合に移動に必要と推測される移動推定時間とが含まれる、
請求項１記載のサーバ。
【請求項６】
前記出発場所情報は、前記連絡先端末の現在位置を表す情報である、
請求項１記載のサーバ。
【請求項７】
前記集合場所情報は、前記連絡元端末の現在位置を表す情報である、
請求項１記載のサーバ。
【請求項８】
前記各連絡先毎に作成された移動スケジュールを前記連絡元端末に送信する送信手段を更に備える、
請求項１記載のサーバ。
【請求項９】
サーバが、集合時間情報、集合場所情報及び１以上の連絡先を含む集合情報を連絡元端末から受信する受信するステップと、
サーバが、前記受信した集合情報中の各連絡先毎に、前記受信した集合情報中の集合時間情報及び集合場所情報と、所定の方法で取得される出発場所情報と、所定記憶システムに記憶されている移動スケジュール作成支援情報とに基づいて、前記受信した集合情報に含まれているその連絡先に固有の移動スケジュールを作成するステップと、
サーバが、前記各連絡先に対応した連絡先端末に、その連絡先に固有の移動スケジュールを通知するステップと
を有する移動スケジュール通知方法。
【請求項１０】
集合時間情報、集合場所情報及び１以上の連絡先を含む集合情報を連絡元端末から受信する受信するステップと、
前記受信した集合情報中の各連絡先毎に、前記受信した集合情報中の集合時間情報及び集合場所情報と、所定の方法で取得される出発場所情報と、所定記憶システムに記憶されている移動スケジュール作成支援情報とに基づいて、前記受信した集合情報に含まれているその連絡先に固有の移動スケジュールを作成するステップと、
前記各連絡先に対応した連絡先端末に、その連絡先に固有の移動スケジュールを通知するステップと
をサーバに実行させるためのコンピュータプログラム。
【発明の詳細な説明】
【技術分野】
【０００１】
本発明は、目的地への移動スケジュールを通知するためのサーバ、システム及び方法に関する。
【背景技術】
【０００２】
この種の従来技術として、例えば、特開２００１−１４１４７８号公報がある。
【０００３】
この公報に記載の技術は「目的地の待ち人が携帯電話機より目的地へ向かっている車両に目的地の位置情報を送信し、車両のナビゲーション装置がその位置を目的地として経路探索を行ない、待ち人の携帯電話機に車両の現在位置と到着予想時間を定期的に送信するナビゲーションシステムを提供する」ことを課題としており、その課題を、「目的地の待ち人は携帯電話機１で現在位置を測定し、目的地へ車両で向かっている人の携帯電話機４に電話をかけ、目的地の位置情報を送信する。これを受信した車載用ナビゲーション装置３は車両の現在位置から目的地までの経路を探索すると共に目的地への到着予想時間を算出し、目的地の待ち人の携帯電話機１に車両の現在位置と到着予想時間の情報を送信し、ディスプレイ装置５に誘導経路を表示して目的地までの車両誘導を開始する。目的地に到着するまで目的地の待ち人の携帯電話機１に車両の現在位置と目的地への到着予想時間の情報を定期的に送信する」ことにより解決している。
【０００４】
【特許文献１】特開２００１−１４１４７８号公報（段落７、１１参照）。
【発明の開示】
【発明が解決しようとする課題】
【０００５】
上記公報によれば、向い人が、車載用ナビゲーション装置を所持している必要がある。そのため、向い人が車載用ナビゲーション装置を持っていないと待ち人は向い人の到着予想時刻を知ることはできない。
【０００６】
従って、本発明の目的は、目的地への向い人が車載用ナビゲーション装置を所持していなくても、その向い人に、目的地への移動スケジュールを通知することにある。
【０００７】
本発明の他の目的は、後述の説明から明らかになるであろう。
【課題を解決するための手段】
【０００８】
本発明に従うサーバは、集合時間情報、集合場所情報及び１以上の連絡先を含む集合情報を連絡元端末から受信する受信手段と、前記受信した集合情報中の各連絡先毎に、前記受信した集合情報中の集合時間情報及び集合場所情報と、所定の方法で取得される出発場所情報と、所定記憶システムに記憶されている移動スケジュール作成支援情報とに基づいて、前記受信した集合情報に含まれているその連絡先に固有の移動スケジュールを作成する作成手段と、前記各連絡先に対応した連絡先端末に、その連絡先に固有の移動スケジュールを通知する通知手段とを備える。
【０００９】
なお、前記所定記憶システムは、前記サーバ内に設けられていても良いし、前記サーバとは別の場所（例えばインターネット上の別のサーバ）に設けられていても良い。
【００１０】
本発明に従う方法は、サーバが、集合時間情報、集合場所情報及び１以上の連絡先を含む集合情報を連絡元端末から受信する受信するステップと、サーバが、前記受信した集合情報中の各連絡先毎に、前記受信した集合情報中の集合時間情報及び集合場所情報と、所定の方法で取得される出発場所情報と、所定記憶システムに記憶されている移動スケジュール作成支援情報とに基づいて、前記受信した集合情報に含まれているその連絡先に固有の移動スケジュールを作成するステップと、サーバが、前記各連絡先に対応した連絡先端末に、その連絡先に固有の移動スケジュールを通知するステップとを有する。
【００１１】
本発明に従うコンピュータプログラムは、集合時間情報、集合場所情報及び１以上の連絡先を含む集合情報を連絡元端末から受信する受信するステップと、前記受信した集合情報中の各連絡先毎に、前記受信した集合情報中の集合時間情報及び集合場所情報と、所定の方法で取得される出発場所情報と、所定記憶システムに記憶されている移動スケジュール作成支援情報とに基づいて、前記受信した集合情報に含まれているその連絡先に固有の移動スケジュールを作成するステップと、前記各連絡先に対応した連絡先端末に、その連絡先に固有の移動スケジュールを通知するステップとをサーバに実行させるためのコンピュータプログラムである。
【発明の効果】
【００１２】
本発明によれば、目的地への向い人が車載用ナビゲーション装置を所持していなくても、その向い人に、目的地への移動スケジュールを通知することができる。
【発明を実施するための最良の形態】
【００１３】
以下、図面を参照して本発明の一実施形態を説明する。
【００１４】
図１は、本実施形態の移動スケジュール通知システムの概念を示す。
【００１５】
本実施形態に係る移動スケジュール通知システムでは、連絡元ユーザ（例えば集合場所での待ち人）が、連絡元端末２を用いて、集合情報（例えば、集合要件、集合日時、集合場所及び集合者メールアドレスを含んだ情報）を有する電子メール（以下、「要求メール」と言う）４をサーバ１に送信する。すると、サーバ１が、受信した要求メールに記載の集合情報に基づいて、１以上の連絡先ユーザ（集合者）の各々に対応した１又は複数の移動スケジュールを作成し、各集合者の連絡先端末３に、その集合者に対応した１又は複数の移動スケジュールを記載した電子メール（以下、「集合連絡メール」と言う）５を送信する。連絡先端末３は、受信した集合連絡メールを、自機のディスプレイ画面に表示する。それにより、各集合者、すなわち、集合場所へ向かうことになる各向い人は、自分のための１又は複数の移動スケジュール（例えば、集合日時までに集合場所に到着するための移動経路）を取得し、その移動スケジュールに従って、集合場所へ向かうことが可能になる。
【００１６】
以下、この実施形態について詳細に説明する。
【００１７】
図２は、本実施形態に係る移動スケジュール通知システムの構成を示す。
【００１８】
連絡元端末２は、パーソナルコンピュータ或いは携帯電話機等の情報処理端末であり、連絡元ユーザ（例えば、集合場所での待ち人）に使用される。連絡元端末２は、外部装置（例えばサーバ１）と通信する通信部２０１と、連絡元ユーザのインターフェースである操作部２４０と、電子メール本文等をディスプレイ画面に表示する表示部２３０と、不揮発性の記憶デバイス（例えば不揮発性メモリ又はハードディスク）である連絡先情報記憶部２２０と、種々の情報処理を行う連絡先情報処理部（例えばＣＰＵ）２１０とを備える。
【００１９】
連絡先情報記憶部２２０は、例えば、サーバ情報（例えば、サーバ１の電子メールアドレス）と、連絡先情報（例えば、１又は複数の連絡先ユーザの各々の１以上の電子メールアドレス）とを記憶している。
【００２０】
連絡先情報処理部２１０は、例えば、通信部２０１を介して電子メールを送受信したり、受信済み或いは送信済みの電子メールを表示部２３０を介して表示したり、連絡元ユーザから操作部２４０を介して入力された情報を持った電子メールを作成したりする。
【００２１】
サーバ１は、外部装置（例えば連絡元端末２及び連絡先端末３）と通信する通信部１０１と、不揮発性の記憶デバイス（例えば不揮発性メモリ又はハードディスク）であるサーバ情報記憶部１２４と、種々の情報処理を行うサーバ情報処理部（例えばＣＰＵ）１１０とを備える。
【００２２】
サーバ情報記憶部１２４は、各種交通機関情報と、地図情報と、顧客情報とを記憶している。各種交通機関情報とは、バスや電車等の各種交通機関に関する情報であり、例えば、各種交通機関毎に、１又は複数の移動経路と、各移動経路における各停車地点と、各停車地点毎の車両発車予定時刻と等を含んでいる。地図情報は、例えば、各種縮尺に応じた地図画像（一例として、道路、建物、建物名等が書かれた情報）や、各地図画像における各地点の座標情報（例えば緯度経度情報）や、各縮尺毎の地図画像における距離情報（例えば、その地図画像における１ｃｍが実際には何メートルか）等を含んだ情報である。地図情報中の各地点と、各種交通機関情報中の各停車地点（例えば、バスであれば停留所、電車であれば駅）とは、例えば、地図情報においてどの地点がどの停車地点かを特定できるように、互いにリンクしている。顧客情報とは、この実施形態に係るシステムを利用する複数の顧客（連絡先ユーザ及び／又は連絡元ユーザとなる人間）に関する情報であり、例えば、移動スケジュール作成処理と課金処理の際に参照される。顧客情報は、例えば、各顧客毎に、氏名、住所、会社情報（会社名、住所等）、及び、１又は複数の移動スタート地点情報（例えば、移動スタート地点住所）等を含んだ情報である。なお、移動スタート地点とは、後述する移動スケジュールの作成の際に、その移動スケジュールにおける移動スタート地点とされるものであり、例えば、その顧客の住所、或いは、その顧客の職場の住所である。
【００２３】
ところで、サーバ情報記憶部１２４内の情報は、サーバ１とは別の場所（例えば通信ネットワーク上の別のサーバ内）で記憶されていても良く、その場合は、サーバ情報処理部１１０は、その別の場所で記憶されている情報を用いて種々の処理を行っても良い。
【００２４】
サーバ情報処理部１１０は、例えば、要求メールを受信したか否かを確認したり、受信した要求メールに含まれている集合情報と、サーバ情報記憶部１２４内の各種交通機関情報及び地図情報とに基づいて、その集合情報に含まれている集合者メールアドレス毎の移動スケジュールを作成したりする。また、サーバ情報処理部１１０は、各集合者メールアドレス毎に、作成した移動スケジュールを記載した集合連絡メールを作成し送信したり、サーバ情報記憶部１２４内の顧客情報に基づいて、その集合連絡メールの作成に関する課金処理を行ったりする。ここで、サーバ情報処理部１１０は、集合連絡メールの本文に、移動スケジュールを表す文字、画像又はそれらの組合せを載せても良いし、或いは、移動スケジュールを記載したＷＥＢページを作成し、集合連絡メールの本文に、そのＷＥＢページのＵＲＬにアクセスするためのハイパーリンクを記載しても良い。また、サーバ情報処理部１１０は、種々の課金方法を採用することができる。例えば、サーバ情報処理部１１０は、連絡元端末２及び連絡先端末３の少なくとも一方に直接課金しても良いし、ネットワーク（例えば携帯電話網）提供会社を介在させて課金しても良い。また、課金は、本システムを利用する毎に課金する従量制でも良いし、月極めなどの定額制でも良いし、或いはこれら二つの併用であっても良い。
【００２５】
連絡先端末３は、パーソナルコンピュータ或いは携帯電話機等の情報処理端末であり、連絡先ユーザ（例えば、集合場所への向い人）に使用される。連絡先端末３は、外部装置（例えばサーバ１）と通信する通信部３０１と、連絡先ユーザのインターフェースである操作部３４０と、電子メール本文等をディスプレイ画面に表示する表示部３３０と、不揮発性の記憶デバイス（例えば不揮発性メモリ又はハードディスク）である連絡先情報記憶部３２０と、種々の情報処理を行う連絡先情報処理部（例えばＣＰＵ）３１０とを備える。連絡先情報処理部３１０は、例えば、通信部３０１を介して電子メールを送受信したり、受信済み或いは送信済みの電子メールを表示部３３０を介して表示したりする。
【００２６】
以下、図３を参照して、本実施形態に係る移動スケジュール通知システムにおいて行われる移動スケジュール通知の流れの一例を詳細に説明する。なお、以下の説明では、連絡元端末２も連絡先端末３も携帯電話機であるものとする。
【００２７】
連絡元ユーザは、連絡元端末３の操作部２４０に含まれている「メール」キーを押下する（ステップＳ１）。
【００２８】
連絡元情報処理部２１０は、その「メール」キーの押下に応答して、メール用メニュー画面１０を表示部２３０に表示させる。
【００２９】
連絡元ユーザは、要求メールなど新たに電子メールを作成する旨を操作部２４０を介して入力（例えば、「１」キーを押下）する（Ｓ２）。
【００３０】
その後、連絡元情報処理部２１０は、連絡元ユーザの操作に応答し、連絡元情報記憶部２２０に記憶されているサーバ情報中の電子メールアドレスを宛先とした（つまりサーバ１を送信先とした）要求メールを作成する（Ｓ３）。ここで、連絡元情報処理部２１０は、集合情報中の各種項目、例えば、集合要件、集合日時、集合場所、及び連絡先（集合者メールアドレス）の入力を受ける。集合要件としては、例えば、集合の目的を表す文字列（一例として「△△打合せ」）の入力を受ける。集合日時としては、例えば、その日時を表す文字列（一例として「2003/10/03/15:00」）の入力を受ける。集合場所としては、例えば、その場所の名称（又は住所）を表す文字列（一例として「○○本社（１階）」）の入力を受ける（換言すれば、サーバ情報記憶部１２４内の地図情報から集合場所を特定することができるような態様での情報入力を受ける）。
【００３１】
このＳ３で集合情報の入力を受ける際、例えば、連絡元情報記憶部２２０に、集合情報中の各種項目名のみが書かれた要求メール作成テンプレートを予め登録しておき、連絡元情報処理部２１０は、連絡元ユーザの操作に応答して、その要求メール作成テンプレートを連絡元情報記憶部２２０から読出し表示することで、連絡元ユーザの入力負担を軽減させても良い。また、連絡元情報処理部２１０は、集合者メールアドレスの入力を受ける場合は、連絡元情報記憶部２２０に記憶されている図示しないアドレス帳（各連絡先ユーザ毎の１以上の電子メールアドレス等が記録されたもの）から所望の集合者メールアドレスを選択させ、選択された集合者メールアドレスを要求メールに記録することで、連絡元ユーザの入力負担を軽減させても良い。また、連絡元情報処理部２１０は、連絡先として複数個の集合者メールアドレスの入力を受けて要求メールに登録することができる。
【００３２】
連絡元情報処理部２１０は、連絡元ユーザの操作に応答して、作成した要求メールをサーバ１に送信する（Ｓ４）。
【００３３】
サーバ１のサーバ情報処理部１１０は、アイドル状態では、要求メールの待ち状態となっている（Ｓ５とＳ５でＮとの繰り返し）。このアイドル状態において、サーバ情報処理部１１０は、要求メールを受信すると（Ｓ５でＹ）、要求メールから集合情報を取得し（Ｓ６）、その集合情報中の各集合者メールアドレス毎に、移動スケジュールを作成する（Ｓ７）。サーバ情報処理部１１０は、移動スケジュールを、例えば以下の処理流れにより作成する。
【００３４】
サーバ情報処理部１１０は、サーバ情報記憶部１２４内の顧客情報から、集合者メールアドレスを有する顧客に対応した移動スタート地点を取得する。そして、サーバ情報処理部１１０は、取得した移動スタート地点と、Ｓ６で取得された集合情報中の集合場所及び集合日時と、サーバ情報記憶部１２４内の各種交通機関情報及び地図情報とに基づいて、集合日時までに集合場所に到着するような（例えば、集合日時よりも所定時間長（例えば５分）以上前に集合場所に到着するような）移動スケジュールを作成する。これにより、例えば、後述の集合連絡メール表示画面２０に記録されているような移動スケジュール、一例として、どこをどんな時刻にどんな交通手段を用いて出発するとどこにどんな時刻に到着するかが書かれた移動スケジュールが作成される。
【００３５】
Ｓ７の後、サーバ情報処理部１１０は、各集合メールアドレス毎に、作成した移動スケジュールと、Ｓ６で取得された集合情報のうちの所定項目（例えば、集合要件、集合日時及び集合場所）とを含んだ集合連絡メールをその集合メールアドレスを宛先として作成し、作成した集合連絡メールの送信を実行する（Ｓ８）。これにより、各連絡先端末２に、それを所持する連絡先ユーザに専用の移動スケジュールが記載された集合連絡メールが送信される。
【００３６】
Ｓ８の後、サーバ情報処理部１１０は、要求メールの送信元メールアドレス、集合連絡メールの送信先メールアドレス、及び、サーバ情報記憶部１２４内の顧客情報に基づいて、上述した課金処理を実行する（Ｓ９）。
【００３７】
連絡先端末３の連絡先情報処理部３０１は、集合連絡メールを受信し終えた場合（Ｓ１０）、自動的に或いはユーザの操作に応答して、受信した集合連絡メールを表示部３３０に表示させる（Ｓ１１）。参照番号２０が、連絡先端末３に表示される集合連絡メール表示画面である。この画面２０には、図示のように、要求メールに登録された集合情報中の集合情報、集合日時及び集合場所と、Ｓ７の処理によって作成された移動スケジュールとが表示される。この画面２０を見ることで、連絡先端末３を持つ連絡先ユーザは、どのように移動することで、連絡先ユーザが指定した集合日時までにそのユーザに指定された集合場所へ到着することができるのかを把握することができる（例えば、「第ｎ支社」が移動スタート地点であって、「ＪＲ○○駅」及び「ＪＲ東京駅」が通過地点であって、「○○本社（１階）」が集合場所であることがわかる）。
【００３８】
以上が、この本実施形態についての説明である。この実施形態によれば、例えば以下の（１）〜（２）の効果がある。
【００３９】
（１）サーバ１が、集合情報を連絡する連絡元ユーザの所有する連絡元端末３から要求メールを受けた場合に、そのユーザが指定した各集合者毎に、移動スケジュールの作成及びそのスケジュールを載せた集合連絡メールの送信を行うので、連絡元ユーザが各集合者毎に移動スケジュール調査をする必要がなくなる。
【００４０】
（２）移動スケジュールは、サーバ１に登録されている各顧客毎の移動スタート地点（出発場所）と、連絡元ユーザに指定された集合場所とに基づいて作成されるので、連絡元ユーザが要求メールを発行する都度に、連絡元ユーザ或いはそれの連絡先ユーザが、わざわざ連絡先ユーザの移動スタート地点を入力する必要が無い。
【００４１】
ところで、上述した実施形態には、例えば幾つかの変形例が考えられる。
【００４２】
第１変形例では、サーバ１が、連絡先端末３或いは連絡元端末２の現在位置を検出する機能を有し、検出された現在位置に基づいて、集合者出発場所或いは集合場所を決定する。すなわち、第1変形例では、サーバ１が、移動スタート地点（つまり集合者の出発場所）を、連絡先端末３の現在位置とするか、或いは、集合場所を連絡元端末２の現在位置とする。これにより、サービス要求毎に、集合者出発場所あるいは集合場所の情報入力操作が不要になる。また、集合者出発場所を連絡先端末３の現在位置とすることで、例えば、急な集合発生時の集合連絡で、連絡元ユーザに指定された集合者の現在位置からの移動スケジュールを作成しその集合者に通知することができる。また、集合場所を連絡元端末２の現在位置とすることで、例えば、連絡元端末２の現在位置を集合場所とする急な集合発生時の集合連絡で、連絡元端末２の現在位置を集合場所とした移動スケジュールを各集合メールアドレス毎に作成することができる。
【００４３】
第２変形例では、サーバ１は、各集合メールアドレス毎の移動スケジュールを、連絡元端末２にも電子メール等の方法で通知する。これにより、連絡元端末２の連絡元ユーザは、どの集合者はどの移動スケジュールで集合場所に向かって来るのかを把握することができる。
【００４４】
なお、この第２変形例において、１つの集合メールアドレスに複数の移動スケジュールが作成された場合、連絡先端末３が、複数の移動スケジュールのうちどの移動スケジュールで集合場所へ向かうかの選択を連絡先ユーザから受けても良い。その場合、連絡先端末３は、選択された移動スケジュールをサーバ１に通知し、サーバ１は、通知された選択移動スケジュールを連絡元端末２に通知しても良い。
【００４５】
第３変形例では、所定の記憶装置（例えば連絡元情報記憶部２２０）に、複数の集合者メールアドレスを含んだ１以上の集合者グループと、各集合者グループに対応付けられたキーワード（例えば、集合要件に含まれる文字列或いはグループＩＤ）とが登録されていても良い。その場合、連絡元端末２は、要求メールの作成の際、連絡元ユーザから入力されたキーワードがあれば、そのキーワードに対応した１又は複数の集合者グループを所定記憶装置から認識し、認識された各集合者グループに含まれている複数の集合者メールアドレスを自動的に要求メールに登録しても良い。
【００４６】
第４変形例では、一人の顧客に複数の移動スタート地点が存在する場合、それら複数の移動スタート地点をそれぞれ有する複数の移動スケジュールが作成されても良い。
【００４７】
第５変形例では、一人の顧客に複数の移動スタート地点が存在する場合、各移動スタート地点情報には、移動開始時刻範囲が設定されていても良い。その場合、例えば、サーバ情報処理部１１０は、第1の移動スタート地点をスタート地点とした移動スケジュールを作成したとき、その地点の移動開始時刻が、その地点情報に設定された移動開始時刻範囲内に無ければ、第２の移動スタート地点をスタート地点として新たに移動スケジュールを作成し直しても良い。換言すれば、サーバ情報処理部１１０は、設定された移動開始時刻範囲内に入る移動開始時刻となるようなスタート地点を持つ移動スケジュールを作成するようにしても良い。これにより、例えば、移動開始時刻が平日の昼間であれば、会社をスタート地点とし、一方、移動開始時刻が休日の昼間であれば、自宅をスタート地点とする等の使い分けが可能となる。
【００４８】
第６変形例では、サーバ１は、集合情報入力画面（図示せず）を連絡元端末２に提供して表示させ、その集合情報入力画面で入力された集合情報を基に、各集合者メールアドレス毎の移動スケジュールを作成しても良い。
【００４９】
第７変形例では、集合日時に代えて、別種の集合時間、例えば、現在時刻からどのぐらい後かが入力されても良い。また、集合者メールアドレスに代えて、別種の集合者情報、例えば、集合者の氏名が入力されても良い。その場合、入力された集合者氏名に対応したメールアドレスを、連絡元端末２或いはサーバ１が、顧客情報等から取得しても良い。
【００５０】
以上、本発明の実施形態及び幾つかの変形例を説明したが、これらは本発明の説明のための例示であって、本発明の範囲をこれらの実施形態及び変形例にのみ限定する趣旨ではない。本発明は、他の種々の形態でも実施することが可能である。
【００５１】
例えば、本発明で言う「時間情報」は、或る時点の日時情報であっても良いし、時間長情報であっても良いし、時間長の開始日時と終了日時とを含んだ情報であっても良い。
【００５２】
本発明のサーバにおける第１の好適な実施形態では、前記出発場所情報が、前記所定記憶システムに、各連絡先毎に予め登録されている情報であり、前記作成手段は、前記所定記憶システムから前記出発場所情報を取得しても良い。更に、或る連絡先に対して複数の出発場所情報が登録されており、且つ、各出発場所情報毎に移動開始時刻範囲が設定されている場合、前記作成手段は、設定された移動開始時刻範囲内に入る移動開始時刻となるような出発地点を持つ移動スケジュールを作成しても良い。
【００５３】
第２の好適な実施形態では、前記移動スケジュール作成支援情報には、各種交通機関情報が含まれており、前記作成手段が、前記各種交通機関情報に基づいて、どの交通機関をどのように利用するかを含んだ前記移動スケジュールを作成しても良い。更に、前記作成される移動スケジュールには、前記出発場所情報が表す出発場所と、前記集合場所情報が表す集合場所とを結ぶ移動経路における１又は複数の通過地点と、各通過地点間において利用可能な交通機関と、その交通機関を利用した場合に移動に必要と推測される移動推定時間とが含まれても良い。
【００５４】
第３の好適な実施形態では、前記出発場所情報は、前記連絡先端末の現在位置を表す情報であっても良い。
【００５５】
第４の好適な実施形態では、前記集合場所情報は、前記連絡元端末の現在位置を表す情報であっても良い。
【００５６】
第５の好適な実施形態では、サーバは、前記各連絡先毎に作成された移動スケジュールを前記連絡元端末に送信する送信手段を更に備えても良い。
【図面の簡単な説明】
【００５７】
【図１】図１は、本発明の一実施形態の移動スケジュール通知システムの概念を示す。
【図２】図２は、本実施形態に係る移動スケジュール通知システムの構成を示す。
【図３】図３は、本実施形態に係る移動スケジュール通知システムにおいて行われる移動スケジュール通知の流れを示す。
【符号の説明】
【００５８】
１…サーバ、２…連絡元端末、３…連絡先端末、４…要求メール、５…集合連絡メール
【図１】
2005210453.tif 000003
【図２】
2005210453.tif 000004
【図３】
2005210453.tif 000005